(57)【要約】      （修正有）【課題】アームレストの使用につれてトリム・カバーの端末がカップ・ホルダーの周囲に食み出ることを防止できて商品性を維持可能にする。【解決手段】２枚の引込み布１５，１６が、そのカップ・ホルダー１４の開口２２に直交する方向でホルダー高さおよび底回りの外形寸法で決まる同じ長さあるいは異なる長さに予め切断され、開口縁２０，２０および２１，２１間に予め縫い付けられ、そして、そのトリム・カバー１３がそのアームレスト・フレーム１１およびパッド１２の組合せ被せられると、そのアームレスト・フレーム１１のそのカップ・ホルダー・ホール１８に落し込まれ、そのカップ・ホルダー１４でそのカップ・ホルダー・ホール１８に押し込まれ、そのカップ・ホルダー１４の回りにぴんと張られてそのトリム・カバー１３のその開口部１９の開口縁２０，２０および２１，２１をそのカップ・ホルダー・ホール１８に引き入れる。【選択図】  図２
2008001267.tif 000002
【特許請求の範囲】
【請求項１】
アームレスト面の先端側にカップ・ホルダー・ホールを開口するアームレスト・フレームと、そのアームレスト・フレームに組み付けられるパッドと、そのアームレスト・フレームのそのカップ・ホルダー・ホールに被さる箇所に開口部を切り抜き、そして、そのカップ・ホルダー・ホールにその開口部を合わせてそのアームレスト・フレームおよびパッドの組合せに被せられて固定されるトリム・カバーと、そのトリム・カバーのその開口部においてそのトリム・カバーの上からそのアームレスト・フレームのそのカップ・ホルダー・ホールにはめ込んで埋め込まれるカップ・ホルダーとを含み、そして、２枚の引込み布が、そのカップ・ホルダーの開口に直交する方向でホルダー高さおよび底回りの外形寸法で決まる同じ長さあるいは異なる長さに予め切断され、そのトリム・カバーのその開口部で直交方向に互いに向かい合う一対の開口縁の２組においてその切断長さに応じて選択されてその開口縁間に予め縫い付けられ、そして、そのトリム・カバーがそのアームレスト・フレームおよびパッドの組合せ被せられると、そのアームレスト・フレームのそのカップ・ホルダー・ホールに落し込まれ、そのカップ・ホルダーでそのカップ・ホルダー・ホールに押し込まれ、そのカップ・ホルダーの回りにぴんと張られてそのトリム・カバーのその開口部の開口縁をそのカップ・ホルダー・ホールに引き入れるところの乗り物シートに用いるアームレスト。
【発明の詳細な説明】
【技術分野】
【０００１】
この発明は、乗り物シート、特に自動車シートに用いるアームレストの改良に関する。
【背景技術】
【０００２】
従来、自動車シートに用いるアームレストは、カップ・ホルダーを埋め込み箇所においてそのカップ・ホルダーの周囲溝にトリム・カバーの開口縁を差し込むかあるいはそのトリム・カバーのその開口縁をパッドに接着するので、そのアームレストの使用につれてそのトリム・カバーの開口端末がアームレスト面に出て商品性を損う不具合があった。
【特許文献１】特開２００１−２５３３０４
【発明の開示】
【発明が解決しようとする課題】
【０００３】
この発明の課題は、アームレストの使用につれてトリム・カバーの端末がカップ・ホルダーの周囲に食み出ることを防止でき、そして、商品性を維持可能にするところの乗り物シートに用いるアームレストの提供にある。
【課題を解決するための手段】
【０００４】
この発明は、アームレスト面の先端側にカップ・ホルダー・ホールを開口するアームレスト・フレームと、そのアームレスト・フレームに組み付けられるパッドと、そのアームレスト・フレームのそのカップ・ホルダー・ホールに被さる箇所に開口部を切り抜き、そして、そのカップ・ホルダー・ホールにその開口部を合わせてそのアームレスト・フレームおよびパッドの組合せに被せられて固定されるトリム・カバーと、そのトリム・カバーのその開口部においてそのトリム・カバーの上からそのアームレスト・フレームのそのカップ・ホルダー・ホールにはめ込んで埋め込まれるカップ・ホルダーとを含み、そして、２枚の引込み布が、そのカップ・ホルダーの開口に直交する方向でホルダー高さおよび底回りの外形寸法で決まる同じ長さあるいは異なる長さに予め切断され、そのトリム・カバーのその開口部で直交方向に互いに向かい合う一対の開口縁の２組においてその切断長さに応じて選択されてその開口縁間に予め縫い付けられ、そして、そのトリム・カバーがそのアームレスト・フレームおよびパッドの組合せ被せられると、そのアームレスト・フレームのそのカップ・ホルダー・ホールに落し込まれ、そのカップ・ホルダーでそのカップ・ホルダー・ホールに押し込まれ、そのカップ・ホルダーの回りにぴんと張られてそのトリム・カバーのその開口部の開口縁をそのカップ・ホルダー・ホールに引き入れる。
【発明の効果】
【０００５】
この発明では、その２枚の引込み布がそのカップ・ホルダーでそのカップ・ホルダーの回りにぴんと張られてそのトリム・カバーのその開口部の開口縁をそのカップ・ホルダー・ホールに引き入れるので、使用につれてそのトリム・カバーのその開口部のその開口縁、すなわち、トリム・カバー端末がそのカップ・ホルダーの周囲に食み出ることが確実に防止され、そして、商品性が持続的に確保される。
【発明を実施するための最良の形態】
【０００６】
そのトリム・カバーが、そのアームレスト・フレームのそのカップ・ホルダー・ホールに被さる箇所に開口部を切り抜き、また、その２枚の引込み布が、所定の幅の帯状布を用い、そのカップ・ホルダーの開口に直交する方向でホルダー高さおよび底回りの外形寸法で決まる同じ長さあるいは異なる長さに予め切断され、そのトリム・カバーのその開口部で直交方向に互いに向かい合う一対の開口縁の２組においてその切断長さに応じて選択されてその開口縁間に予め縫い付けられ、そして、そのトリム・カバーがそのアームレスト・フレームおよびパッドの組合せ被せられると、そのアームレスト・フレームのそのカップ・ホルダー・ホールに落し込まれ、そのカップ・ホルダーでそのカップ・ホルダー・ホールに押し込まれ、そのカップ・ホルダーの回りにぴんと張られてそのトリム・カバーのその開口部の開口縁をそのカップ・ホルダー・ホールに引き入れるところで機能する。
【実施例１】
【０００７】
以下、特定されて図示された具体例に基づいて、この発明の乗り物シートに用いるアームレストを説明するに、図１ないし図３はバンのフロント・シート、セカンド・シート、およびサード・シートそれぞれに活用されるところのこの発明の乗り物シートに用いるアームレストの具体例１０を示し、そして、このアームレスト１０では、アームレスト・フレーム１１が、アームレスト面１７の先端側にカップ・ホルダー・ホール１８を開口し、またパッド１２が、そのアームレスト・フレーム１１に組み付けられ、さらに、トリム・カバー１３が、そのアームレスト・フレーム１１のそのカップ・ホルダー・ホール１８に被さる箇所に開口部１９を切り抜き、そして、そのカップ・ホルダー・ホール１８にその開口部１９を合わせてそのアームレスト・フレーム１１およびパッド１２の組合せに被せられて固定され、またさらに、カップ・ホルダー１４が、そのトリム・カバー１３のその開口部１９においてそのトリム・カバー１３の上からそのアームレスト・フレーム１１のそのカップ・ホルダー・ホール１８にはめ込んで埋め込まれ、さらには、２枚の引込み布１５，１６が、そのカップ・ホルダー１４の開口２２に直交する方向でホルダー高さおよび底回りの外形寸法で決まる異なる長さに予め切断され、そのトリム・カバー１３のその開口部１９で直交方向に互いに向かい合う一対の開口縁２０，２０および２１，２１の２組においてその切断長さに応じて選択されてその開口縁２０，２０および２１，２１間に予め縫い付けられ、そして、そのトリム・カバー１３がそのアームレスト・フレーム１１およびパッド１２の組合せ被せられると、そのアームレスト・フレーム１１のそのカップ・ホルダー・ホール１８に落し込まれ、そのカップ・ホルダー１４でそのカップ・ホルダー・ホール１８に押し込まれ、そのカップ・ホルダー１４の回りにぴんと張られてそのトリム・カバー１３のその開口部１９の開口縁２０，２０および２１，２１をそのカップ・ホルダー・ホール１８に引き入れる。
【０００８】
そのトリム・カバー１３のその開口部１９は、そのカップ・ホルダー１４のその開口２２が長方形であるので、それに合わせて長方形に切り抜かれる。
【０００９】
その２枚の引込み布１５，１６は、所定の幅の帯状布が用いられ、そのカップ・ホルダー１４の開口２２が長方形でその長方形開口２２に直交する方向でホルダー高さおよび底回りの外形寸法が異なるので、その外形寸法で決まる異なった長さに切断される。そして、その短い引込み布１５は、そのトリム・カバー１３のその長方形開口部１９の一対の長い開口縁２０，２０間に両端で縫い付けられ、他方、その長い引込み布１６は、そのトリム・カバー１３のその長方形開口部１９の一対の短い開口縁２１，２１間に両端で縫い付けられる。勿論、そのカップ・ホルダー１４の開口２２が正方形あるいは円形である場合、その正方形開口あるいは円形開口に直交する方向でホルダー高さおよび底回りの外形寸法が同じであるので、その２枚の引込み布１５，１６は同じ長さに切断される。
【００１０】
したがって、このアームレスト１０では、その２枚の引込み布１５，１６がそのカップ・ホルダー１４でそのカップ・ホルダー１４の回りにぴんと張られてそのトリム・カバー１３のその開口部１９の開口縁２０，２０および２１，２１をそのカップ・ホルダー・ホール１８に引き入れるので、使用につれてそのトリム・カバー１３のその開口部１９のその開口縁２０，２０および２１，２１、すなわち、トリム・カバー端末がそのカップ・ホルダー１４の周囲に食み出ずに商品性が持続的に確保される。
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１２】
上述から理解されるように、この発明の乗り物シートに用いるアームレストは、アームレスト面の先端側にカップ・ホルダー・ホールを開口するアームレスト・フレームと、そのアームレスト・フレームに組み付けられるパッドと、そのアームレスト・フレームのそのカップ・ホルダー・ホールに被さる箇所に開口部を切り抜き、そして、そのカップ・ホルダー・ホールにその開口部を合わせてそのアームレスト・フレームおよびパッドの組合せに被せられて固定されるトリム・カバーと、そのトリム・カバーのその開口部においてそのトリム・カバーの上からそのアームレスト・フレームのそのカップ・ホルダー・ホールにはめ込んで埋め込まれるカップ・ホルダーとを含み、そして、２枚の引込み布が、そのカップ・ホルダーの開口に直交する方向でホルダー高さおよび底回りの外形寸法で決まる同じ長さあるいは異なる長さに予め切断され、そのトリム・カバーのその開口部で直交方向に互いに向かい合う一対の開口縁の２組においてその切断長さに応じて選択されてその開口縁間に予め縫い付けられ、そして、そのトリム・カバーがそのアームレスト・フレームおよびパッドの組合せ被せられると、そのアームレスト・フレームのそのカップ・ホルダー・ホールに落し込まれ、そのカップ・ホルダーでそのカップ・ホルダー・ホールに押し込まれ、そのカップ・ホルダーの回りにぴんと張られてそのトリム・カバーのその開口部の開口縁をそのカップ・ホルダー・ホールに引き入れるので、この発明の乗り物シートに用いるアームレストでは、その２枚の引込み布がそのカップ・ホルダーでそのカップ・ホルダーの回りにぴんと張られてそのトリム・カバーのその開口部の開口縁をそのカップ・ホルダー・ホールに引き入れ、使用につれてそのトリム・カバーのその開口部のその開口縁、すなわち、トリム・カバー端末がそのカップ・ホルダーの周囲に食み出ることが確実に防止され、そして、商品性が持続的に確保され、その結果、自動車シートにとって非常に有用で実用的である。
【図面の簡単な説明】
【００１３】
【図１】バンのフロント・シート、セカンド・シート、およびサード・シートそれぞれに活用されるところのこの発明の乗り物シートに用いるアームレストの具体例を示した斜視図である。
【図２】図１の２−２線に沿って示した断面図である。
【図３】図１の３−３線に沿って示した断面図である。
【符号の説明】
【００１４】
１１  アームレスト・フレーム
１２  パッド
１３  トリム・カバー
１４  カップ・ホルダー
１５  引込み布
１６  引込み布
１７  アームレスト面
１８  カップ・ホルダー・ホール
１９  開口部
２０  開口縁
２１  開口縁
２２  開口
【図１】
2008001267.tif 000003
【図２】
2008001267.tif 000004
【図３】
2008001267.tif 000005